(57)【要約】【課題】構造を簡素化して、簡単に組み立て、および製造できるエスカッションおよび車載用音響装置を提供する。【解決手段】エスカッション本体２１の裏面に基板２３、タッチパネル２５および液晶２７を順に配置し、さらにカバー３３を配置し、このカバー３３をエスカッション本体２１の裏面のボス３７にねじ止めしたエスカッションにおいて、基板２３、タッチパネル２５および液晶２７をボス３７により位置決めした。【選択図】図２
2007310203.tif 000002
【特許請求の範囲】
【請求項１】
エスカッション本体の裏面に基板、タッチパネルおよび液晶を順に配置し、さらにカバーを配置し、このカバーを前記エスカッション本体の裏面のボスにねじ止めしたエスカッションにおいて、前記基板、タッチパネルおよび液晶を前記ボスにより位置決めしたことを特徴とするエスカッション。
【請求項２】
前記基板が前記ボスに嵌合する嵌合溝または嵌合孔を備えたことを特徴とする請求項１に記載のエスカッション。
【請求項３】
前記タッチパネルの側面を前記ボスに当接させて位置決めしたことを特徴とする請求項１または２に記載のエスカッション。
【請求項４】
前記液晶の側面を前記ボスに当接させて位置決めしたことを特徴とする請求項１ないし３のいずれか一項に記載のエスカッション。
【請求項５】
再生装置本体と、この本体の前面に設けたエスカッションとを備えた車載用音響装置において、前記エスカッションが、エスカッション本体の裏面に基板、タッチパネルおよび液晶を順に配置し、さらにカバーを配置し、このカバーをエスカッション本体の裏面のボスにねじ止めして構成され、前記基板、タッチパネルおよび液晶が前記ボスにより位置決めされていることを特徴とする車載用音響装置。
【発明の詳細な説明】
【技術分野】
【０００１】
本発明は、基板、タッチパネルおよび液晶を有したエスカッションおよび車載用音響装置に関する。
【背景技術】
【０００２】
一般に、車載用音響装置では記録媒体としてのＭＤやＣＤ−ＲＯＭ等を再生するものが知られている。この種のものでは、例えば再生装置本体と、その前面に設けたエスカッションとを備え、このエスカッションが、エスカッション本体の裏面に基板、タッチパネルおよび液晶を順に重ねて配置し、さらにカバーを配置し、このカバーをエスカッション本体の裏面のボスにねじ止めして構成されている（例えば、特許文献１参照）。
【特許文献１】特開２００３−３３７３２３号公報
【発明の開示】
【発明が解決しようとする課題】
【０００３】
しかし、従来の構成では、エスカッション本体の裏面に、まず、基板を位置決めリブにより位置決めし、ついで、別の位置決めリブによりタッチパネルを位置決めし、さらに別の位置決めリブにより液晶を位置決めしており、エスカッション本体の裏面には、これら複数のリブを設けなければならず、エスカッション本体の構造が複雑化し、位置決めが困難であり、コスト高であった。
【０００４】
そこで、本発明の目的は、上述した従来の技術が有する課題を解消し、構造を簡素化して、簡単に組み立て、および製造できるエスカッションおよび車載用音響装置を提供することにある。
【課題を解決するための手段】
【０００５】
本発明は、エスカッション本体の裏面に基板、タッチパネルおよび液晶を順に配置し、さらにカバーを配置し、このカバーを前記エスカッション本体の裏面のボスにねじ止めしたエスカッションにおいて、前記基板、タッチパネルおよび液晶を前記ボスにより位置決めしたことを特徴とする。
【０００６】
本発明では、基板、タッチパネルおよび液晶が共通のボスで位置決めされると共に、このボスが、エスカッション本体の裏面に設けたボスであって、カバーを固定するためのボスを兼用化しているため、エスカッション本体の構造が簡素化し、位置決めが容易になって、低コストなものになる。
【０００７】
この場合において、前記基板が前記ボスに嵌合する嵌合溝または嵌合孔を備えていてもよい。また、前記タッチパネルの側面を前記ボスに当接させて位置決めしてもよい。さらに、前記液晶の側面を前記ボスに当接させて位置決めしてもよい。
【０００８】
再生装置本体と、この本体の前面に設けたエスカッションとを備えた車載用音響装置において、前記エスカッションが、エスカッション本体の裏面に基板、タッチパネルおよび液晶を順に配置し、さらにカバーを配置し、このカバーをエスカッション本体の裏面のボスにねじ止めして構成され、前記基板、タッチパネルおよび液晶が前記ボスにより位置決めされていてもよい。
【発明の効果】
【０００９】
本発明では、基板、タッチパネルおよび液晶が共通のボスで位置決めされると共に、このボスが、エスカッション本体の裏面に設けたボスであって、カバーを固定するためのボスを兼用化しているため、エスカッション本体の構造が簡素化し、位置決めが容易になって、低コストなものになる。
【発明を実施するための最良の形態】
【００１０】
以下、本発明の一実施形態を、図面に基づいて説明する。
図１において、１０は、車載用音響装置を示し、この車載用音響装置１０は、再生装置本体１１と、その前面に配置されたエスカッション１３とを備えている。エスカッション１３の周辺部には樹脂製の各種選択スイッチ（押しボタン）１５が配置され、それぞれ図示は省略したが、エスカッション１３が開かれると、再生装置本体１１の前部にＣＤやＤＶＤ等を挿入自在な挿入口が露出し、この挿入口から挿入されたＣＤやＤＶＤ等が、再生装置本体に入って、記録情報再生が行われる。
【００１１】
本構成では、エスカッション１３が、図２に示すように、箱形のエスカッション本体２１と、その裏面の両側に接し、縦に延びて配置される一対の基板２３と、これら一対の基板２３の上に重ねて配置されるガラス製のタッチパネル２５と、タッチパネル２５に重ねて配置される液晶モジュール２７とを備えて構成されている。液晶モジュール２７の上には固定板２９が重ねられ、その上には液晶回路３１が配置され、さらにカバー３３が配置されている。カバー３３は、４隅の位置で各々ねじ３５が貫通し、このねじ３５がエスカッション本体２１の裏面に設けたボス３７に螺入し、これによりエスカッション１３が組み立てられている。基板２３は上端縁、下端縁にそれぞれ嵌合溝２３Ａ，２３Ｂを備え、各嵌合溝２３Ａ，２３Ｂにボス３７が嵌合し、基板２３が位置決めされている。嵌合溝２３Ａ，２３Ｂは、嵌合孔（不図示）であってもよい。また、タッチパネル２５の側面２５Ａ，２５Ｂはエスカッション本体２１の下側のボス３７側面に当接し、これによりタッチパネル２５が位置決めされている。液晶モジュール２７の側面２７Ａ，２７Ｂは同じくエスカッション本体２１の下側のボス３７側面に当接し、これにより液晶モジュール２７が位置決めされている。
【００１２】
図３乃至図１０は組み付け手順を示す。
エスカッション本体２１は、図３Ａ及び図３Ｂに示すように、略矩形枠状のフレーム２１Ａを備え、中央が大きく開口２１Ｂしている。フレーム２１Ａは高さＨを備え、その高さＨ内に基板２３、タッチパネル２５、液晶モジュール２７等が順に収められている。フレーム２１Ａは外周枠２１Ｃと内周枠２１Ｄと表板２１Ｅとを備え、表板２１Ｅには上述した各種選択スイッチ１５の他に、ボス３７が一体に設けられている。ボス３７の高さは寸法Ｈよりも僅かに小さく形成されている。エスカッション本体２１の裏面には、図４Ａ及び図４Ｂに示すように、まず一対の基板２３が取り付けられる。基板２３は上端縁、下端縁の各嵌合溝２３Ａ，２３Ｂに、ボス３７を嵌合させることにより、当該ボス３７に上下及び左右に位置決めされる。
【００１３】
ついで、図５Ａ及び図５Ｂに示すように、タッチパネル２５が取り付けられる。タッチパネル２５の上下方向の位置決めは、フレーム２１Ａの外周枠２１Ｃにより行われ、左右方向の位置決めは、ボス３７側面で行われる。ここで、タッチパネル２５の側面２５Ａ，２５Ｂは上側のボス３７側面に当接せず、下側のボス３７側面にのみ当接し、これによりタッチパネル２５が左右に位置決めされる。上側のボス３７側面とタッチパネル２５の側面２５Ａ，２５Ｂ間には隙間があくため、タッチパネル２５の取付けが容易になる。つぎに、図６Ａ及び図６Ｂに示すように、所定の厚みを持つ液晶モジュール２７が取り付けられる。液晶モジュール２７の上下方向の位置決めは、同じくフレーム２１Ａの外周枠２１Ｃにより行われ、左右方向の位置決めは、同じくボス３７側面で行われる。液晶モジュール２７の側面２７Ａ，２７Ｂも、上側のボス３７側面には当接せず、下側のボス３７側面にのみ当接し、これにより液晶モジュール２７が左右に位置決めされる。上側のボス３７側面と液晶モジュール２７の側面２７Ａ，２７Ｂ間には隙間があくため、液晶モジュール２７の取付けが容易になる。ついで、液晶モジュール２７の上には、図７Ａ及び図７Ｂに示すように、固定板２９が重ねられる。この固定板２９にはボス３７が臨む４つの開口が形成されている。そして、固定板２９の上には、図８Ａ及び図８Ｂに示すように、液晶回路３１が配置され、液晶回路３１の上には、図９Ａ及び図９Ｂに示すように、カバー３３が配置され、図１０に示すように、カバー３３の上からねじ３５止めされ、これによりエスカッション１３が組み立てられる。
【００１４】
本実施の形態では、基板２３、タッチパネル２５、液晶モジュール２７が共通のボス３７で位置決めされると共に、このボス３７が、カバー３３を固定するボス３７を兼用化したため、エスカッション本体２１の構造がシンプルになり、小型、コンパクト化が図れると共に、同一のボス３７で位置決めするため、位置決め作業が容易になって、低コストになる等の効果を奏する。
【００１５】
以上、一実施の形態に基づいて本発明を説明したが、本発明は、これに限定されるものではない。例えば、タッチパネル２５、液晶モジュール２７等を下側のボス３７により位置決めしたが、下側のボス３７間には隙間をあけて、上側のボス３７により位置決めするようにしてもよい。
【図面の簡単な説明】
【００１６】
【図１】本発明の一実施の形態を示す斜視図である。
【図２】エスカッションの分解斜視図である。
【図３】Ａは、エスカッション本体の裏面図、Ｂは、同じく側面図である。
【図４】Ａは、基板を載せた裏面図、Ｂは、同じく側面図である。
【図５】Ａは、タッチパネルを載せた裏面図、Ｂは、同じく側面図である。
【図６】Ａは、液晶モジュールを載せた裏面図、Ｂは、同じく側面図である。
【図７】Ａは、固定板を載せた裏面図、Ｂは、同じく側面図である。
【図８】Ａは、液晶回路を載せた裏面図、Ｂは、同じく側面図である。
【図９】Ａは、カバーを載せた裏面図、Ｂは、同じく側面図である。
【図１０】エスカッションの斜視図である。
【符号の説明】
【００１７】
１０  車載用音響装置
１１  再生装置本体
１３  エスカッション
２１  エスカッション本体
２３  基板
２５  タッチパネル
２７  液晶モジュール
２９  固定板
３３  カバー
３５  ねじ
３７  ボス
【図１】
2007310203.tif 000003
【図２】
2007310203.tif 000004
【図３】
2007310203.tif 000005
【図４】
2007310203.tif 000006
【図５】
2007310203.tif 000007
【図６】
2007310203.tif 000008
【図７】
2007310203.tif 000009
【図８】
2007310203.tif 000010
【図９】
2007310203.tif 000011
【図１０】
2007310203.tif 000012